(57)【要約】【課題】引き戸と出入口縁部との間への異物の引き込みをより確実に防止することができるエレベータのドア装置を得ることを目的とする。【解決手段】かご１には、かご出入口２を開閉するかごの戸３が搭載されている。かごの戸３には、巻き取り装置７が搭載されている。巻き取り装置７は、かごの戸３の内部に配置されている。かごの戸３の戸閉側端部には、折り返しローラ９が設けられている。かご出入口２の間口方向外側には、かご１に対して固定された幕固定部材５が配置されている。かごの戸３の表面１０側を覆う引き戸覆い幕１１は、幕固定部材５に固定された固定部１２を有し、固定部１２から、かごの戸３の表面１０側を通って、折り返しローラ９に巻き掛けられ、巻き取り装置７に至っている。引き戸覆い幕１１は、戸開動作時に巻き取り装置７により巻き取られ、戸閉動作時に巻き取り装置７から繰り出される。【選択図】        図１
2004323156.tif 000002
【特許請求の範囲】
【請求項１】
出入口の間口方向へ往復動可能で、上記出入口を開閉する引き戸、
上記引き戸に搭載された巻き取り装置、及び
上記出入口の間口方向外側に上記出入口に対して固定された固定部を有し、上記固定部から、上記引き戸の表面側を通って、上記巻き取り装置へ至るように配置された引き戸覆い幕
を備え、
上記引き戸覆い幕は、上記引き戸の戸開動作時に上記巻き取り装置により巻き取られ、上記引き戸の戸閉動作時に上記巻き取り装置から繰り出されるようになっていることを特徴とするエレベータのドア装置。
【請求項２】
上記引き戸の戸閉側端部には、上記引き戸覆い幕が巻き掛けられた折り返しローラが設けられており、
上記引き戸覆い幕は、上記固定部から上記折り返しローラを通って上記巻き取り装置に至っていることを特徴とする請求項１に記載のエレベータのドア装置。
【請求項３】
上記巻き取り装置は、上記引き戸の内部に配置されており、
上記引き戸の戸閉側端部には、上記引き戸覆い幕が通された幕取り込み口が設けられていることを特徴とする請求項２に記載のエレベータのドア装置。
【請求項４】
上記折り返しローラは光源体を有し、上記引き戸覆い幕は上記光源体からの光を通すようになっていることを特徴とする請求項２又は請求項３に記載のエレベータのドア装置。
【請求項５】
上記固定部及び上記巻き取り装置の少なくとも何れか一方には、上記引き戸覆い幕に作用している張力を検出する張力検出装置が設けられており、
上記張力が所定の閾値よりも大きくなったときに、上記引き戸の移動方向が反転されるようになっていることを特徴とする請求項１乃至請求項４の何れかに記載のエレベータのドア装置。
【請求項６】
上記引き戸覆い幕の表面には、模様及び色彩の少なくとも何れか一方が付されていることを特徴とする請求項１乃至請求項５の何れかに記載のエレベータのドア装置。
【発明の詳細な説明】
【０００１】
【発明の属する技術分野】
この発明は、かご出入口や乗場出入口を開閉するエレベータのドア装置に関するものである。
【０００２】
【従来の技術】
従来のエレベータのドア装置では、出入口を開閉する引戸の移動方向と逆方向に回転されるローラを出入口枠に設けて、引戸と出入口枠との間への異物の引き込みを防止するようにしている（例えば、特許文献１参照）。
【０００３】
【特許文献１】
特開平８−６７４８０号公報
【０００４】
【発明が解決しようとする課題】
しかしながら、異物とローラとの間の滑り等により、異物を逆方向へ押し返すローラの機能が十分に得られなくなることがあり、引戸とローラとの間に異物が挟まれてしまう虞がある。
【０００５】
そこでこの発明は、上記のような問題点を解決することを課題とするもので、引き戸と出入口縁部との間への異物の引き込みをより確実に防止することができるエレベータのドア装置を得ることを目的とする。
【０００６】
【課題を解決するための手段】
この発明に係るエレベータのドア装置は、出入口の間口方向へ往復動可能で、出入口を開閉する引き戸、引き戸に搭載された巻き取り装置、及び出入口の間口方向外側に出入口に対して固定された固定部を有し、固定部から、引き戸の表面側を通って、巻き取り装置へ至るように配置された引き戸覆い幕を備え、引き戸覆い幕は、引き戸の戸開動作時に巻き取り装置により巻き取られ、引き戸の戸閉動作時に巻き取り装置から繰り出されるようになっている。
【０００７】
【発明の実施の形態】
以下、この発明の実施の形態について図面を参照しながら説明する。
実施の形態１．
図１は、この発明の実施の形態１によるエレベータのドア装置を示す横断面図である。また、図２は図１のかごの戸を示す一部破断正面図、図３は図２のかごの戸を示す側面図である。図において、昇降路（図示せず）内を昇降されるかご１は、乗客の出入りのためのかご出入口２を有している。かご１には、かご出入口２を開閉する引き戸である一対のかごの戸３が搭載されている。一対のかごの戸３の上方には、かご出入口２の間口方向に沿って延びたドアレール（図示せず）が配置されている。ドアレールは、かご１に対して固定されている。一対のかごの戸３は、ドアレールに吊り下げられている。また、一対のかごの戸３は、図示しない駆動装置によりかご出入口２の間口方向へ往復動される。
【０００８】
一対のかごの戸３の下方には、かご出入口２の間口方向に沿って延びたかご敷居４が配置されている。かご敷居４は、かご１に対して固定されている。かごの戸３の下端部は、かご敷居４に設けられた敷居溝（図示略）内に挿入されている。
【０００９】
かご出入口２の間口方向外側には、かご出入口２の高さ方向に沿って延びた幕固定部材５が配置されている。幕固定部材５は、かご１に対して固定されている。ここでは、幕固定部材５は、かご出入口２の間口方向両側に配置されている。また、各幕固定部材５は、かご１とかごの戸３との間にそれぞれ配置されている。
【００１０】
各かごの戸３には、かご出入口２の高さ方向に沿って延びた巻き取り軸６を有する巻き取り装置７が搭載されている。巻き取り軸６には、その軸線を中心に回転されるように、巻き取りばね（図示せず）により回転力（巻き取り力）が与えられている。巻き取り装置７は、かごの戸３の内部に配置されている。
【００１１】
各かごの戸３の戸閉側端部には、かご出入口２の高さ方向に沿って延びた支持軸８が設けられている。支持軸８には、支持軸８を中心に回転可能な一対の折り返しローラ９が設けられている。各折り返しローラ９は、かごの戸３の上部及び下部に配置されている。
【００１２】
かごの戸３には、かごの戸３のかご室内側の面、即ちかごの戸３の表面１０を覆うための難燃性の引き戸覆い幕１１が設けられている。ここでは、引き戸覆い幕１１は、単層あるいは複層のプラスチックフィルムである。また、引き戸覆い幕１１は、ガラス繊維、カーボン繊維あるいはケブラー（登録商標）で補強されている。引き戸覆い幕１１は、幕固定部材５に固定された固定部１２を有している。また、引き戸覆い幕１１は、固定部１２から、かごの戸３の表面１０側を通って、折り返しローラ９に巻き掛けられ、巻き取り装置７へ至るように配置されている。さらに、引き戸覆い幕１１は、巻き取り装置７の巻き取り軸６に接続されている。引き戸覆い幕１１の張力は、巻き取り軸６による巻き取り方向への付勢により引き戸覆い幕１１が弛まないように保たれている。なお、かごの戸３の戸閉側端部には、引き戸覆い幕１１が通された幕取り込み口１３が設けられている（図３）。
【００１３】
図４は、図１のかごの戸３の戸開状態を示す横断面図である。図に示すように、引き戸覆い幕１１は、かごの戸３の戸開動作時に巻き取り装置７により巻き取られ、かごの戸３の戸閉動作時に巻き取り装置７から繰り出される。
【００１４】
次に、動作について説明する。
一対のかごの戸３の戸閉動作時には、各かごの戸３は互いに近づく向きへ移動される。各かごの戸３の戸閉方向への移動に伴って、巻き取り軸６に巻き取られている引き戸覆い幕１１は、巻き取り軸６の巻き取り力に逆らって巻き取り装置７から繰り出される。これにより、かごの戸３の内部の引き戸覆い幕１１は、幕取り込み口１３を通してかごの戸３の表面１０側へ順に送り出される。このとき、折り返しローラ９は引き戸覆い幕１１の移動により回転される。引き戸覆い幕１１の送り出しは、戸閉動作完了時まで行われる。
【００１５】
一対のかごの戸３の戸開動作時には、各かごの戸３は互いに離れる向きへ移動される。各かごの戸３の戸開方向への移動に伴って、引き戸覆い幕１１は付勢ばねの付勢により巻き取り軸６に巻き取られる。これにより、かごの戸３の表面１０側へ送り出されていた引き戸覆い幕１１は、幕取り込み口１３を通してかごの戸３の内部へ順に取り込まれる。このとき、折り返しローラ９は引き戸覆い幕１１の移動により回転される。引き戸覆い幕１１の取り込みは、戸開動作完了時まで行われる。
【００１６】
このような構成のエレベータのドア装置では、引き戸覆い幕１１が、かご出入口２の間口方向外側にかご出入口２に対して固定された固定部１２を有し、固定部１２から、かごの戸３の表面１０側を通って、巻き取り装置７へ至るように配置されているので、かごの戸３がかご出入口２に対して往復動されても、引き戸覆い幕１１のかごの戸３の表面１０側に配置されている部分は、かご出入口２に対して往復動されることはない。また、かご１の内部側からかごの戸３側へ異物を押し付けても、引き戸覆い幕１１の介在により異物がかごの戸３に直接接触することもない。従って、かごの戸３に異物を押し付けても引き戸覆い幕１１の介在によりかごの戸３とともに異物が移動することがなく、かごの戸３とかご出入口２の縁部との間への異物の引き込みをより確実に防止することができる。
【００１７】
また、かごの戸３の戸閉側端部には、引き戸覆い幕１１が巻き掛けられた折り返しローラ９が設けられているので、引き戸覆い幕１１の巻き取り装置７からの繰り出し、及び引き戸覆い幕１１の巻き取り装置７による巻き取りを円滑に行うことができる。また、かごの戸３の表面１０側の引き戸覆い幕１１を幕固定部材５からかごの戸３の戸閉側端部にまで配置させることができるので、かごの戸３の表面１０がかご１の内部側に露出することを防止することができる。
【００１８】
また、巻き取り装置７は、かごの戸３の内部に配置されており、かごの戸３の戸閉側端部には、引き戸覆い幕１１が通された幕取り込み口１３が設けられているので、幕取り込み口１３を小さくすることにより、引き戸覆い幕１１のかごの戸３の内部への取り込みの際に、かごの戸３の内部へ異物を引き込みにくくすることができる。
【００１９】
実施の形態２．
図５は、この発明の実施の形態２によるエレベータのドア装置を示す横断面図である。図において、幕固定部材５には、引き戸覆い幕１１に作用している張力を検出する張力検出装置２１が設けられている。張力検出装置２１は、エレベータの制御盤に搭載された制御部２２に電気的に接続されている。張力検出装置２１は、張力検出信号を制御部２２へ伝送するようになっている。制御部２２は、張力検出信号によって得られる張力の値が所定の閾値よりも大きくなったときに、かごの戸３の移動方向を反転させるようになっている。制御部２２には、異物が引き戸覆い幕１１を介してかごの戸３に押し付けられたときの引き戸覆い幕１１の張力の値が所定の閾値としてあらかじめ設定されている。他の構成は実施の形態１と同様である。
【００２０】
このような構成のエレベータのドア装置では、引き戸覆い幕１１の張力を検出する張力検出装置２１が幕固定部材５に設けられており、引き戸覆い幕１１の張力が所定の閾値よりも大きくなったときに、かごの戸３の移動方向が反転されるようになっているので、異物が引き戸覆い幕１１を介してかごの戸３に押し付けられた場合に、かごの戸３とかご出入口２の縁部との間への異物の引き込みをさらに確実に防止することができる。
【００２１】
なお、上記の例では、張力検出装置２１は幕固定部材５に設けられているが、巻き取り装置７に張力検出装置２１を設けてもよい。
【００２２】
また、上記の例では、引き戸覆い幕１１の張力が所定の閾値よりも大きくなったときに、かごの戸３の移動方向が反転されるようになっているが、例えばかごの戸３の移動が停止されるようになっていてもよいし、乗客に注意を促すアナウンスをするようになっていてもよい。
【００２３】
また、各上記実施の形態では、巻き取り装置７はかごの戸３の内部に配置されているが、かごの戸３の戸閉側端部に巻き取り装置７を配置してもよい。この場合、支持軸８及び折り返しローラ９をかごの戸３の戸閉側端部に設ける必要はない。
【００２４】
また、各上記実施の形態では、折り返しローラ９は、かごの戸３の上部及び下部に１つずつ配置されているが、３個以上の折り返しローラ９を支持軸８に沿って配列してもよい。さらに、かご出入口２の高さ方向に沿って延びた１本のローラを折り返しローラとしてかごの戸３の戸閉側端部に配置してもよい。
【００２５】
また、各上記実施の形態では、引き戸覆い幕１１は付勢ばねの付勢により巻き取り軸６に巻き取られるようになっているが、巻き取り装置７の巻き取りの駆動をモータとしてもよい。この場合、モータは、かごの戸３の往復動に同期して駆動される。
【００２６】
また、各上記実施の形態では、かごの戸３について説明したが、乗場の戸にこの発明を適用してもよい。この場合、引き戸覆い幕は、乗場の戸の乗場側（表面側）に配置される。
【００２７】
また、各上記実施の形態において、折り返しローラ９の内部に光源体を収納し、引き戸覆い幕１１を透明あるいは半透明にして光源体からの光を通すようにしてもよい。このようにすれば、光源体からの光を乗客へ届けることができ、エレベータのドア装置の意匠性を向上させることができる。なお、折り返しローラ９自体を光源体としてもよい。
【００２８】
また、各上記実施の形態において、引き戸覆い幕１１の表面に模様及び色彩の少なくとも何れか一方を付してもよい。このようにすれば、かごの戸３の往復動により模様あるいは色彩を変化させることができ、エレベータのドア装置の意匠性を向上させることができる。上記のように折り返しローラ９が光源体を有する場合には、エレベータのドア装置の意匠性をさらに向上させることができる。また、引き戸覆い幕１１の表面に付された模様及び色彩を図案化することにより、エレベータのドア装置の意匠性をさらに向上させることができる。
さらに、引き戸覆い幕１１の表面に広告を付してもよい。
【００２９】
【発明の効果】
以上の説明から明らかなように、この発明に係るエレベータのドア装置では、出入口を開閉する引き戸に巻き取り装置が搭載され、引き戸覆い幕が、出入口の間口方向外側に出入口に対して固定された固定部から、引き戸の表面側を通って、巻き取り装置へ至るように配置されているので、引き戸覆い幕の介在により異物の引き戸への直接の接触を防止することができ、引き戸と出入口の縁部との間への異物の引き込みをより確実に防止することができる。
【図面の簡単な説明】
【図１】この発明の実施の形態１によるエレベータのドア装置を示す横断面図である。
【図２】図１のかごの戸の一部破断正面図である。
【図３】図２のかごの戸の側面図である。
【図４】図１のかごの戸の戸開状態を示す横断面図である。
【図５】この発明の実施の形態２によるエレベータのドア装置を示す横断面図である。
【符号の説明】
２  かご出入口（出入口）、３  かごの戸（引き戸）、７  巻き取り装置、９折り返しローラ、１０  表面、１１  引き戸覆い幕、１２  固定部、１３  幕取り込み口、２１  張力検出装置。
【図１】
2004323156.tif 000003
【図２】
2004323156.tif 000004
【図３】
2004323156.tif 000005
【図４】
2004323156.tif 000006
【図５】
2004323156.tif 000007